(57)【特許請求の範囲】
【請求項１】
視野領域からの光を集光するレンズ部と、前記レンズ部が集光した光を用いて電子的な画像データを連続的に生成する撮像部と、前記撮像部が生成した前記画像データを記憶する記憶部と、前記撮像部が生成する前記画像データに対応する画像を表示する表示部とを備え、撮像する画像の縦横比率を第１比率として撮影する静止画撮影および前記縦横比率を前記第１比率より小さい第２比率として撮影する動画撮影を行うことが可能な撮像装置であって、
撮影する画像の縦横比率を変更する変更指示信号の入力を受け付ける入力部と、
前記撮像部が生成する画像データに含まれる画像に対し、前記第１比率と前記第２比率との間の縦横比率で切出した撮影画像を生成する画像切出し部と、
前記静止画撮影中に前記入力部によって前記変更指示信号が入力された場合、前記画像切出し部が順次切出して生成する撮影画像の縦横比率を前記第１比率から前記第２比率に向けて時間とともに小さくする制御を行う制御部と、
を備えたことを特徴とする撮像装置。
【請求項２】
前記入力部によって前記変更指示信号が入力された後に前記画像切出し部が生成する前記撮影画像の縦横比率が前記第２比率に到達したとき、前記撮影画像の縦横比率が前記第２比率になった旨を出力する出力部を備えたことを特徴とする請求項１に記載の撮像装置。
【請求項３】
前記入力部は、
外部からの押圧により進退可能なスイッチを有し、
前記スイッチが半押しされた場合に前記変更指示信号の入力を受け付ける一方、前記スイッチが全押しされた場合に動画撮影の撮影指示信号の入力を受け付けることを特徴とする請求項１または２に記載の撮像装置。
【請求項４】
前記画像切出し部が生成する前記撮影画像の縦横比率に応じた補助画像を付加して画像全体の縦横比率が前記第２比率に一致する合成画像を生成する画像合成部を備え、
前記制御部は、前記画像切出し部が生成する前記撮影画像の縦横比率の変更中に前記入力部によって前記撮影指示信号が入力された場合、前記画像切出し部が生成する前記撮影画像の縦横比率が前記第２比率に到達するまで前記画像合成部に前記合成画像を生成させる制御を行うことを特徴とする請求項３に記載の撮像装置。
【請求項５】
前記画像切出し部が変更する前記撮影画像の縦横比率の変更タイミングを設定する設定部を備え、
前記制御部は、前記設定部が設定した前記変更タイミングに応じて前記画像切出し部が生成する前記撮影画像の縦横比率を小さくする制御を行うことを特徴とする請求項１〜４のいずれか一つに記載の撮像装置。
【請求項６】
前記合成画像は、前記補助画像の縦の長さが前記撮影画像の縦の長さに一致することを特徴する請求項４に記載の撮像装置。
【請求項７】
視野領域からの光を集光するレンズ部と、前記レンズ部が集光した光を用いて電子的な画像データを連続的に生成する撮像部と、前記撮像部が生成した前記画像データを記憶する記憶部と、前記撮像部が生成する前記画像データに対応する画像を表示する表示部とを備え、撮像する画像の縦横比率を第１比率として撮影する静止画撮影および前記縦横比率を前記第１比率より小さい第２比率として撮影する動画撮影を行うことが可能な撮像装置に実行させるプログラムであって、
前記静止画撮影中に前記撮像部が生成する画像データに含まれる画像の縦横比率を変更する変更指示信号が入力された場合、
前記画像から切出して生成すべき撮影画像の縦横比率を設定する設定ステップと、
前記設定ステップで設定された縦横比率を有する前記撮影画像を生成する生成ステップと、
を、所定の終了条件を満たすまで繰り返し実行させ、
前記縦横比率は、前記第１比率から前記第２比率に向けて時間とともに小さくなる関数によって与えられ、
前記終了条件は、前記設定ステップで設定した縦横比率が第２比率であることを特徴とするプログラム。
【発明の詳細な説明】
【技術分野】
【０００１】
本発明は、被写体を撮像して電子的な画像データを生成する撮像装置およびプログラムに関する。
【背景技術】
【０００２】
近年、デジタルカメラなどの撮像装置は、多様な撮影シーンにそれぞれ適した撮影を行うことができる。たとえば、撮影者が表示モニタに表示されるメニューを選択することにより、撮影画像のアスペクト比を９：１６または３：４のいずれか一方で設定できる技術が知られている（特許文献１参照）。この技術では、撮影者が表示モニタに表示されるメニューから被写体に最適なアスペクト比の撮影画像に切換えることができる。
【先行技術文献】
【特許文献】
【０００３】
【特許文献１】特開２００８−２９４７０５号公報
【発明の概要】
【発明が解決しようとする課題】
【０００４】
ところで、近年のデジタルカメラは、静止画のみならず、動画も撮影することができるうえ、静止画撮影の撮影中に動画撮影に切換えて瞬時に動画撮影を行うことができるのが一般的である。しかしながら、静止画撮影の撮影中に動画撮影に切換えられた場合に、静止画のアスペクト比の値と動画のアスペクト比の値とが異なるため、撮影者の意図しない構図から動画撮影が開始されるという問題点があった。
【０００５】
図１１は、従来のデジタルカメラの問題点をより具体的に説明する図である。従来のデジタルカメラでは、たとえば図１１に示すように、アスペクト比３：４に対応する静止画の画像Ｗ１からアスペクト比が異なるアスペクト比９：１６に対応する動画の画像Ｗ２に瞬時に切換えられるため、人物の頭の一部が切れることで撮影者の意図しない構図になる。この場合、撮影者は、動画撮影が始まっているにも関わらず、デジタルカメラの構図を変更し、人物の顔がちょうど収まっている画像Ｗ３になるように操作しなければならなかった。
【０００６】
本発明は、上記に鑑みてなされたものであって、静止画撮影の撮影中にアスペクト比が異なる動画撮影を行う場合に、撮影者が意図しない構図から動画撮影が開始されることを防止することができる撮像装置およびプログラムを提供することを目的とする。
【課題を解決するための手段】
【０００７】
上述した課題を解決し、目的を達成するために、本発明に係る撮像装置は、視野領域からの光を集光するレンズ部と、前記レンズ部が集光した光を用いて電子的な画像データを連続的に生成する撮像部と、前記撮像部が生成した前記画像データを記憶する記憶部と、前記撮像部が生成する前記画像データに対応する画像を表示する表示部とを備え、撮像する画像の縦横比率を第１比率として撮影する静止画撮影および前記縦横比率を前記第１比率より小さい第２比率として撮影する動画撮影を行うことが可能な撮像装置であって、撮影する画像の縦横比率を変更する変更指示信号の入力を受け付ける入力部と、前記撮像部が生成する画像データに含まれる画像に対し、前記第１比率と前記第２比率との間の縦横比率で切出した撮影画像を生成する画像切出し部と、前記静止画撮影中に前記入力部によって前記変更指示信号が入力された場合、前記画像切出し部が順次切出して生成する撮影画像の縦横比率を前記第１比率から前記第２比率に向けて時間とともに小さくする制御を行う制御部と、を備えたことを特徴とする。
【０００８】
また、本発明に係る撮像装置は、上記発明において、前記入力部によって前記変更指示信号が入力された後に前記画像切出し部が生成する前記撮影画像の縦横比率が前記第２比率に到達したとき、前記撮影画像の縦横比率が前記第２比率になった旨を出力する出力部を備えたことを特徴とする。
【０００９】
また、本発明に係る撮像装置は、上記発明において、前記入力部は、外部からの押圧により進退可能なスイッチを有し、前記スイッチが半押しされた場合に前記変更指示信号の入力を受け付ける一方、前記スイッチが全押しされた場合に動画撮影の撮影指示信号の入力を受け付けることを特徴とする。
【００１０】
また、本発明に係る撮像装置は、上記発明において、前記画像切出し部が生成する前記撮影画像の縦横比率に応じた補助画像を付加して画像全体の縦横比率が前記第２比率に一致する合成画像を生成する画像合成部を備え、前記制御部は、前記画像切出し部が生成する前記撮影画像の縦横比率の変更中に前記入力部によって前記撮影指示信号が入力された場合、前記画像切出し部が生成する前記撮影画像の縦横比率が前記第２比率に到達するまで前記画像合成部に前記合成画像を生成させる制御を行うことを特徴とする。
【００１１】
また、本発明に係る撮像装置は、上記発明において、前記画像切出し部が変更する前記撮影画像の縦横比率の変更タイミングを設定する設定部を備え、前記制御部は、前記設定部が設定した前記変更タイミングに応じて前記画像切出し部が生成する前記撮影画像の縦横比率を小さくする制御を行うことを特徴とする。
【００１２】
また、本発明に係る撮像装置は、上記発明において、前記合成画像は、前記補助画像の縦の長さが前記撮影画像の縦の長さに一致することを特徴する。
【００１３】
また、本発明に係るプログラムは、視野領域からの光を集光するレンズ部と、前記レンズ部が集光した光を用いて電子的な画像データを連続的に生成する撮像部と、前記撮像部が生成した前記画像データを記憶する記憶部と、前記撮像部が生成する前記画像データに対応する画像を表示する表示部とを備え、撮像する画像の縦横比率を第１比率として撮影する静止画撮影および前記縦横比率を前記第１比率より小さい第２比率として撮影する動画撮影を行うことが可能な撮像装置に実行させるプログラムであって、前記静止画撮影中に前記撮像部が生成する画像データに含まれる画像の縦横比率を変更する変更指示信号が入力された場合、前記画像から切出して生成すべき撮影画像の縦横比率を設定する設定ステップと、前記設定ステップで設定された縦横比率を有する前記撮影画像を生成する生成ステップと、を、所定の終了条件を満たすまで繰り返し実行させ、前記縦横比率は、前記第１比率から前記第２比率に向けて時間とともに小さくなる関数によって与えられ、前記終了条件は、前記設定ステップで設定した縦横比率が第２比率であることを特徴とする。
【発明の効果】
【００１４】
本発明によれば、制御部が、静止画撮影中に動画用入力部によって変更指示信号が入力された場合、画像切出し部が順次切出して生成する撮影画像の縦横比率を第１比率から第２比率に向けて時間とともに小さくする制御を行う。この結果、静止画撮影の撮影中にアスペクト比が異なる動画撮影を行う場合に、撮影者が意図しない構図から動画撮影が開始されることを防止することができるという効果を奏する。
【図面の簡単な説明】
【００１５】
【図１】図１は、本発明の一実施の形態に係る撮像装置の構成を示すブロック図である。
【図２】図２は、本発明の一実施の形態に係る撮像装置の前面側の構成を示す斜視図である。
【図３】図３は、本発明の一実施の形態に係る撮像装置の背面側の構成を示す斜視図である。
【図４】図４は、本発明の一実施の形態に係る撮像装置が静止画撮影中に動画レリーズスイッチが撮影者によって半押動作した場合に表示部が表示する画像の一例を示す図である。
【図５】図５は、本発明の一実施の形態に係る撮像装置が行う処理の概要を示すフローチャートである。
【図６】図６は、本発明の一実施の形態に係る撮像装置の画像切出し部が生成する撮影画像の縦横比率の変化を示す図である。
【図７】図７は、本発明の一実施の形態に係る撮像装置の画像切出し部が生成する撮影画像の垂直方向の有効範囲と時間との関係を示す図である。
【図８】図８は、本発明の一実施の形態に係る撮像装置の画像合成部が生成する合成画像の生成方法を説明する模式図である。
【図９】図９は、本発明の一実施の形態に係る再生表示処理の概要を示すフローチャートである。
【図１０】図１０は、本発明の一実施の形態に係る撮像装置の表示部が表示する画像の一例を示す図である。
【図１１】図１１は、従来の撮像装置の問題点を説明する図である。
【発明を実施するための形態】
【００１６】
以下、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００１７】
図１は、本発明の一実施の形態に係る撮像装置の構成を示すブロック図である。図２は、本発明の一実施の形態に係る撮像装置の被写体に面する側（前面側）の構成を示す斜視図である。図３は、本発明の一実施の形態に係る撮像装置の撮影者に面する側（背面側）の構成を示す図である。
【００１８】
図１〜図３に示すように、撮像装置１は、レンズ部２と、レンズ駆動機構３と、絞り駆動機構４と、シャッタ駆動機構５と、撮像素子６と、信号処理部７と、音声入出力部８と、操作入力部９と、表示部１０と、タッチパネル１１と、記録媒体インタフェース１２と、不揮発性メモリ１３と、揮発性メモリ１４と、システムコントローラ１５とを備える。
【００１９】
レンズ部２は、フォーカスレンズ及びズームレンズ等によって構成され、所定の視野領域から光を集光する。レンズ部２は、ズームレンズが光軸Ｑ上を移動することによって画角を変化させる光学ズーム機能を有する。
【００２０】
レンズ駆動機構３は、ＤＣモータ等によって構成され、レンズ部２のフォーカスレンズやズームレンズを光軸Ｑ上で移動させることによってレンズ部２の焦点位置や焦点距離の変更を行う。
【００２１】
絞り駆動機構４は、絞り４ａ及びステッピングモータ等によって構成され、絞り４ａを駆動することによってレンズ部２が集光した光の入射量を調整する。
【００２２】
シャッタ駆動機構５は、シャッタ５ａ及びステッピングモータ等によって構成され、シャッタ５ａを駆動することによって撮像素子６の状態を露光状態または遮光状態に設定する。
【００２３】
撮像素子６は、レンズ部２が集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部７に出力する。
【００２４】
信号処理部７は、撮像素子６から出力される電気信号に増幅等の信号処理を施した後、Ａ／Ｄ変換を行うことによってデジタルの画像データに変換し、システムコントローラ１５を介して揮発性メモリ１４に出力する。なお、撮像素子６および信号処理部７を含む構成は、レンズ部２が集光した光を用いて電子的な画像データを連続的に生成する撮像部として機能する。
【００２５】
音声入出力部８は、マイクやスピーカ等によって構成され、たとえば音声情報の取得または出力を行う。なお、音声入出力部８は、本実施の形態では出力部として機能する。
【００２６】
操作入力部９は、図２および図３に示すように、撮像装置１の電源状態をオン状態またはオフ状態に切換える電源スイッチ９ａと、外部から加えられる押圧力に応じて静止画撮影時の画像の縦横比率である第１比率で静止画撮影の指示を与えるレリーズ信号を入力する静止画レリーズスイッチ９ｂと、外部から加えられる押圧力に応じて全押動画および半押動作が可能であり、全押動作によって動画撮影の撮影指示信号の入力を受け付ける一方、半押動作によって撮影する画像の縦横比率を変更する変更指示信号の入力を受け付ける動画レリーズスイッチ９ｃと、撮像装置１の各種撮影モードを切換えるモード切換スイッチ９ｄと、撮像装置１の各種設定を行う操作スイッチ９ｅと、レンズ部２のズーム操作を行うズームスイッチ９ｆとを有する。なお、本実施の形態では、動画レリーズスイッチ９ｃが入力部として機能する。
【００２７】
表示部１０は、液晶または有機ＥＬ（Electro  Luminescence）等からなる表示パネルを用いて実現される。表示部１０は、撮像素子６が生成する画像データに対応する画像を表示する。撮像装置１の操作情報および撮影に関する情報を適宜表示する。表示部１０は、図３に示すように、表示画面の縦（垂直画素列に平行な方向）と横（水平画素列に平行な方向）との比が９：１６であるが、たとえば表示画面の縦と横との比が３：４であってもよい。
【００２８】
タッチパネル１１は、表示部１０の表示画面上に重ねて設けられる（図３を参照）。タッチパネル１１は、撮影者が表示部１０で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。
【００２９】
記録媒体インタフェース１２は、撮像装置１の外部から装着される記録媒体のメモリカード１２ａに対して画像データ等の情報を記憶する一方、メモリカード１２ａが記憶する情報を読み出す。なお、本実施の形態では、メモリカード１２ａが記憶部として機能する。
【００３０】
不揮発性メモリ１３は、フラッシュメモリ等によって実現される。不揮発性メモリ１３は、撮像装置１を動作させるための各種プログラムを記憶したプログラムコード１３ａと、プログラムの実行中に使用される各種データ等を記憶した制御パラメータ１３ｂとを有する。
【００３１】
揮発性メモリ１４は、ＳＤＲＡＭ（Synchronous  Dynamic  Random  Access  Memory）によって実現される。揮発性メモリ１４は、信号処理部７から出力される画像データやシステムコントローラ１５による処理中の情報が一時的に記録されるワークエリア１４ａを有する。具体的には、揮発性メモリ１４は、撮像素子６が１フレーム（例えば１／３０秒）毎に出力する画像データに対応する画像（ライブビュー画像）や静止画レリーズスイッチ９ｂが操作された際に撮像素子６が出力する画像データに対応する画像等を一時的に記憶する。
【００３２】
システムコントローラ１５は、ＣＰＵ（Central  Processing  Unit）等によって実現され、操作入力部９からの操作信号等に応じて不揮発性メモリ１３からプログラムを読み出して実行し、撮像装置１を構成する各部に対する指示やデータの転送等を行って撮像装置１の動作を統括的に制御する。システムコントローラ１５は、画像処理部１５ａと、圧縮・伸長部１５ｂと、ＡＦ制御部１５ｃと、ＡＥ制御部１５ｄと、タイマカウンタ１５ｅと、顔検出部１５ｆと、画素数変換部１５ｇと、画像切出し部１５ｈと、画像合成部１５ｉと、設定部１５ｊとを有する。
【００３３】
画像処理部１５ａは、信号処理部７から出力された画像データに対して各種の画像処理を施し、揮発性メモリ１４に出力する。具体的には、画像処理部１５ａは、信号処理部７から出力される画像データに対してエッジ強調、色補正およびγ補正等の処理を施す。
【００３４】
圧縮・伸長部１５ｂは、揮発性メモリ１４のワークエリア１４ａに記憶された画像データをメモリカード１２ａに記憶させる場合またはメモリカード１２ａに記録されている画像データを表示部１０に表示させる場合に、ＪＰＥＧ（Joint  Photographic  Experts  Group）圧縮方式等に基づいて画像データの圧縮処理や伸長処理を行う。
【００３５】
ＡＦ制御部１５ｃは、信号処理部７から出力される画像データに基づいて、自動焦点調整を行う。たとえば、ＡＦ制御部１５ｃは、画像データのコントラストに基づいて、レンズ駆動機構３を駆動し、撮影する被写体像の鮮鋭度が最大となるようにレンズ部２を光軸Ｑ上で移動させる。
【００３６】
ＡＥ制御部１５ｄは、信号処理部７から出力される画像データに基づいて、静止画撮影を行う際の条件、たとえば絞り４ａの設定値、シャッタ速度等を決定することで自動露出を行う。
【００３７】
タイマカウンタ１５ｅは、撮像装置１の動作の基準となる時間信号を生成する。これにより、システムコントローラ１５は、画像データの取得間隔、撮像素子６の露光時間等を設定することができる。
【００３８】
顔検出部１５ｆは、信号処理部７が出力する画像データに対応する画像に含まれる被写体の顔をパターンマッチング等で検出する。なお、本実施の形態では、顔検出部１５ｆは、人物の顔を検出するようにしているが、たとえば犬や猫等の動物の顔であってもよい。
【００３９】
画素数変換部１５ｇは、信号処理部７から出力される画像データに対して撮像装置１の各種撮影モードに応じた画素数に変換する。具体的には、画素数変換部１５ｇは、画像データを静止画撮影や動画撮影それぞれに対応する画素数に変換する。
【００４０】
画像切出し部１５ｈは、撮像素子６が生成する画像データに含まれる画像に対し、静止画撮影時の画像の縦横比率である第１比率３／４（アスペクト比３：４に対応）と、動画撮影時の画像の縦横比率であって第１比率より小さい縦横比率である第２比率９／１６（アスペクト比９：１６に対応）との間の縦横比率で切出した撮影画像を生成する。具体的には、第１比率がアスペクト比３：４（４８０×６４０ピクセル）に対応する比率であり、第２比率がアスペクト比９：１６（１０８０×１９２０ピクセル）に対応する比率である。
【００４１】
画像合成部１５ｉは、画像切出し部１５ｈが生成する撮影画像の縦横比率に応じた補助画像を付加して画像全体の縦横比率が第２比率に一致する合成画像を生成する。
【００４２】
設定部１５ｊは、画像切出し部１５ｈが生成する撮影画像の縦横比率の変更タイミングを設定する。具体的には、設定部１５ｊは、撮影者が操作スイッチ９ｅの操作内容に応じて、画像切出し部１５ｈが生成する撮影画像の縦横比率の変更タイミングを設定する。
【００４３】
上述した各部を有するシステムコントローラ１５は、静止画撮影中に動画レリーズスイッチ９ｃによって撮影する画像の縦横比率を変更する変更指示信号（動画撮影の準備を指示するファーストレリーズ信号）が入力された場合、画像切出し部１５ｈが順次切出して生成する撮影画像の縦横比率を第１比率から第２比率に向けて時間とともに小さくする制御を行う。さらに、システムコントローラ１５は、画像切出し部１５ｈが生成する撮影画像の縦横比率を変更中に動画レリーズスイッチ９ｃによって動画撮影の撮影指示信号（動画撮影を指示するセカンドレリーズ信号）が入力された場合、画像切出し部１５ｈが生成する撮影画像の縦横比率が第２比率に到達するまで画像合成部１５ｉに合成画像を生成させる制御を行う。なお、本実施の形態では、システムコントローラ１５が制御部として機能する。
【００４４】
以上の構成を有する撮像装置１が静止画撮影中に撮影者によって動画レリーズスイッチ９ｃが半押しされた場合の処理の概要について説明する。図４は、撮像装置１が静止画撮影中に撮影者によって動画レリーズスイッチ９ｃが半押しされた場合に表示部１０が表示する画像の一例を示す図である。図４において、表示部１０が表示する複数の画像のうち、代表的な３枚の画像Ｗ１１〜Ｗ１３（図４（ａ）〜（ｃ））を示す。なお、画像Ｗ１１〜Ｗ１２の間および画像Ｗ１２〜Ｗ１３との間には、複数の画像がそれぞれ存在する。
【００４５】
図４においては、図４（ａ）の画像Ｗ１１が、画像の縦横比率を第１比率で表した静止画撮影時の画像である。また、図４（ｂ）の画像Ｗ１２が、画像の縦横比率をアスペクト比２：３に対応する比率で表した画像である。さらに、図４（ｃ）の画像Ｗ１２が、第２比率で表した動画撮影時の画像である。なお、図４においては、画像Ｗ１１〜Ｗ１３の縦横比率の関係は、９／１６＜２／３＜３／４を満たす。
【００４６】
図４に示すように、システムコントローラ１５は、静止画撮影中に動画レリーズスイッチ９ｃによって撮影する画像の縦横比率を変更する変更指示信号が入力された場合、画像切出し部１５ｈが順次切出して生成する撮影画像の縦横比率を第１比率から第２比率に向けて時間とともに小さくする制御を行う（画像Ｗ１１→画像Ｗ１２→画像Ｗ１３）。その後、システムコントローラ１５は、動画レリーズスイッチ９ｃによって動画撮影の撮影指示信号が入力された場合、画像切出し部１５ｈが第２比率で生成する撮影画像を時系列に沿って連続的に揮発性メモリ１４のワークエリア１４ａに記憶させる動画撮影を開始する。これにより、撮像装置１は、静止画撮影中にアスペクト比が異なる動画撮影を開始する場合に、システムコントローラ１５が動画撮影用のアスペクト比に瞬時に変更することなく、徐々に動画撮影用のアスペクト比に近づけていくので、撮影者が被写体に対して構図を調整する時間的な余裕が生まれる。したがって、撮影者の意図しない構図、たとえば被写体が撮影領域からはみ出す構図から動画撮影が開始されることを防止することができる。
【００４７】
つぎに、本実施の形態に係る撮像装置１が行う処理について説明する。図５は、撮像装置１が行う処理の概要を示すフローチャートである。
【００４８】
図５において、まず、システムコントローラ１５は、撮像装置１の電源がオンになっているか否かを判断する（ステップＳ１０１）。撮像装置１の電源がオンになっている場合（ステップＳ１０１：Ｙｅｓ）、撮像装置１はステップＳ１０２に移行する。一方、撮像装置１の電源がオンになっていない場合（ステップＳ１０１：Ｎｏ）、撮像装置１は本処理を終了する。
【００４９】
続いて、システムコントローラ１５は、撮像装置１が静止画撮影モードに設定されているか否かを判断する（ステップＳ１０２）。具体的には、システムコントローラ１５は、撮影する静止撮影時の画像の縦横比率が第１比率である静止画撮影モードであるか否かを判断する。撮像装置１が静止画撮影モードに設定されている場合（ステップＳ１０２：Ｙｅｓ）、撮像装置１はステップＳ１０３に移行する。一方、撮像装置１が静止画撮影モードに設定されていない場合（ステップＳ１０２：Ｎｏ）、撮像装置１は後述するステップＳ１２４に移行する。
【００５０】
まず、撮像装置１が静止画撮影モードに設定されている場合（ステップＳ１０２：Ｙｅｓ）について説明する。この場合、表示部１０は、撮像素子６が一定の微小な時間間隔で連続的に生成する画像データに対応するライブビュー画像（スルー画像）を表示する（ステップＳ１０３）。このライブビュー画像の縦横比率は第１比率である（たとえば図４（ａ）のＷ１１を参照）。
【００５１】
続いて、システムコントローラ１５は、撮影者によって静止画レリーズスイッチ９ｂが操作（全押）されて静止画撮影のレリーズ信号が入力されたか否かを判断する（ステップＳ１０４）。静止画撮影のレリーズ信号が入力された場合（ステップＳ１０４：Ｙｅｓ）、撮像装置１はステップＳ１０５に移行する。一方、静止画撮影のレリーズ信号が入力されない場合（ステップＳ１０４：Ｎｏ）、撮像装置１はステップＳ１０７に移行する。
【００５２】
まず、静止画撮影のレリーズ信号が入力された場合（ステップＳ１０４：Ｙｅｓ）について説明する。この場合、システムコントローラ１５は、現在の表示部１０が表示するライブビュー画像に対して撮影を行い、画像切出し部１５ｈが撮像素子６によって生成された画像データに含まれる画像を切出して生成した第１比率の撮影画像を揮発性メモリ１４のワークエリア１４ａに一時的に記憶させ（ステップＳ１０５）、撮像装置１はステップＳ１０６に移行する。
【００５３】
その後、システムコントローラ１５は、ワークエリア１４ａに記憶された第１比率の撮影画像を圧縮・伸長部１５ｂで圧縮等の処理を施してメモリカード１２ａに記憶させ（ステップＳ１０６）、ステップＳ１０１に戻る。
【００５４】
つぎに、撮影者によって静止画レリーズスイッチ９ｂが操作されてない場合（ステップＳ１０４：Ｎｏ）について説明する。この場合、システムコントローラ１５は、撮影者によって動画レリーズスイッチ９ｃが半押しされた否かを判断する（ステップＳ１０７）。具体的には、システムコントローラ１５は、撮影者によって動画レリーズスッチ９ｃが全押しまで押し切られない途中まで押されて場合に静止することで、動画レリーズスイッチ９ｃが画像の縦横比率を変更する変更指示信号をシステムコントローラ１５に出力したか否かを判断する。動画レリーズスイッチ９ｃが半押しされてない場合（ステップＳ１０７：Ｎｏ）、撮像装置１は後述するステップＳ１１３に移行する。一方、撮影者によって動画レリーズスイッチ９ｃが半押しされた場合（ステップＳ１０７：Ｙｅｓ）、撮像装置１はステップＳ１０８に移行する。
【００５５】
ステップＳ１０８において、システムコントローラ１５は、撮像素子６が生成する画像データに含まる画像の縦横比率を設定し、この設定した画像の縦横比率で撮像素子６が生成する画像データに含まれる画像から切出した撮影画像を画像切出し部１５ｈに生成させる（ステップＳ１０９）。
【００５６】
図６は、画像切出し部１５ｈが生成する撮影画像の縦横比率の変化を示す図である。図６に示すように、画像切出し部１５ｈは、時系列に沿って（図６（ａ）→図６（ｂ）→（図６（ｃ））撮影画像の縦横比率を第１比率から第２比率に向けて徐々に小さくしながら縦横比率が異なる撮影画像（Ｅ１→Ｅ２→Ｅ３）を順次生成する。なお、撮影画像Ｅ１と撮影画像Ｅ２との間および撮影画像Ｅ２と撮影画像Ｅ３との間には、複数の撮影画像がそれぞれ存在する。
【００５７】
図７は、画像切出し部１５ｈが生成する撮影画像の垂直方向の有効範囲と時間との関係を示す図である。図７において、折れ線Ｌ１，Ｌ２は、画像切出し部１５ｈが生成する撮影画像の垂直方向の有効範囲の時間変化を示す。図７では、横軸が時間であり、縦軸が画像切出し部１５ｈによって生成される撮影画像の垂直方向の有効範囲を示す。
【００５８】
図７に示すように、画像切出し部１５ｈは、予め設定された時間ｔ１の間に撮影画像の縦横比率を時系列に沿って徐々に小さくなるように設定される。まず、時点０〜ｔ１において、画像切出し部１５ｈが撮像素子６によって生成される画像データに含まれる画像を切出して生成する撮影画像の垂直方向の有効範囲の時間変化率Δｙ／Δｔは、
Δｙ／Δｔ＝２（ｙ１−ｙ２）／ｔ１      ・・・（１）
で設定される。つぎに、画像切出し部１５ｈが撮像素子６によって生成される画像データに含まれる画像の中心から水平方向に向かう端部までの範囲をｘ１（図６（ａ）参照）と設定し、第１比率を３／４と設定し、第２比率を９／１６と設定した場合、撮影画像の垂直方向の有効範囲２ｙ１および２ｙ２は、
ｙ１＝（９／８）・ｘ１      ・・・（２）
ｙ２＝（３／２）・ｘ１      ・・・（３）
で設定される。ここで、式（１）の右辺に式（２）および式（３）を代入すると次式（４）が成立する。
Δｙ／Δｔ＝−３ｘ１／８ｔ１      ・・・（４）
このような時間変化率で、画像切出し部１５ｈは、予め設定された時間ｔ１内、たとえば２秒内で撮影画像の縦横比率を変化させ、撮影画像の垂直方向の有効範囲を設定する。なお、画像切出し部１５ｈが生成する撮影画像における垂直方向の有効範囲の時間変化率の定義はあくまでも一例に過ぎず、たとえば、画像切出し部１５ｈが生成する撮影画像における垂直方向の有効範囲の時間変化率を段階的に変化させてもよい。さらに、二次関数や対数関数を用いて時間変化率を設定してもよい。
【００５９】
ステップＳ１１０において、システムコントローラ１５は、画像切出し部１５ｈが生成する撮影画像の縦横比率が第２比率に到達したか否かを判断する。撮影画像の縦横比率が第２比率に到達した場合（ステップＳ１１０：Ｙｅｓ）、撮像装置１はステップＳ１１１に移行する。一方、撮影画像の縦横比率が第２比率に到達していない場合（ステップＳ１１０：Ｎｏ）、撮像装置１は後述するステップＳ１１８に移行する。
【００６０】
まず、撮影画像の縦横比率が第２比率に到達した場合（ステップＳ１１０：Ｙｅｓ）について説明する。この場合、システムコントローラ１５は、画像切出し部１５ｈが生成する撮影画像の縦横比率を第２比率で固定し（ステップＳ１１１）、撮像装置１はステップＳ１１２に移行する。
【００６１】
その後、システムコントローラ１５は、音声入出力部８に画像切出し部１５ｈが生成する撮影画像の縦横比率が第２比率に到達した旨を出力させる（ステップＳ１１２）。具体
的には、音声入出力部８は、音声等で撮影画像の縦横比率が第２比率に到達した旨を出力する。なお、本実施の形態では、音声等だけでなく、たとえば表示部１０の画面上に画像切出し部１５ｈが生成する撮影画像の縦横比率が第２比率になった旨を示すメッセージや画面の点滅等で出力するようにしてもよい。これにより、撮影者は、画像切出し部１５ｈが生成する撮影画像の縦横比率が第２比率に到達したことを知ることができる。
【００６２】
続いて、システムコントローラ１５は、撮影者によって動画レリーズスイッチ９ｃが全押しされたか否かを判断する（ステップＳ１１３）。具体的には、動画レリーズスイッチ９ｃによって動画撮影の撮影指示信号が入力されたか否かを判断する。撮影者によって動画レリーズスイッチ９ｃが全押しされてない場合（ステップＳ１１３：Ｎｏ）、撮像装置１はステップＳ１０１に戻る。この場合、システムコントローラ１５は、撮影者によって動画レリーズスイッチ９ｃが半押しされたときに、動画撮影の準備を解除し、ステップＳ１０１戻り、静止画撮影を行うようにしてもよい。
【００６３】
これに対して、撮影者によって動画レリーズスイッチ９ｃが全押しされた場合（ステップＳ１１３：Ｙｅｓ）、撮像装置１はステップＳ１１４に移行する。
【００６４】
その後、システムコントローラ１５は、画像切出し部１５ｈが一定の微小な時間間隔で連続的に生成する第２比率の撮影画像を時系列に沿ってワークエリア１４ａに一時的に記憶させる動画撮影を開始する（ステップＳ１１４）。
【００６５】
続いて、システムコントローラ１５は、撮影者によって動画撮影を終了する操作が行われたか否かを判断する（ステップＳ１１５）。具体的には、システムコントローラ１５は、再度、撮影者によって動画レリーズスイッチ９ｃが操作されたか否かを判断する。動画撮影を終了する操作がない場合（ステップＳ１１５：Ｎｏ）、撮像装置１は、この判断を繰り返し、動画撮影を続ける。一方、動画撮影を終了する操作が行われた場合（ステップＳ１１５：Ｙｅｓ）、撮像装置１はステップＳ１１６に移行する。
【００６６】
その後、システムコントローラ１５は、画像切出し部１５ｈが一定の微小な時間間隔で連続的に生成する第２比率の撮影画像を時系列に沿ってワークエリア１４ａに一時的に記憶させる動画撮影を停止する（ステップＳ１１６）。
【００６７】
続いて、システムコントローラ１５は、ワークエリア１４ａに記憶された一連の撮影画像を圧縮・伸長部１５ｂで圧縮してメモリカード１２ａに動画データとして記憶させ（ステップＳ１１７）、撮像装置１はステップＳ１０１に戻る。
【００６８】
つぎに、撮影画像の縦横比率が第２比率に到達していない場合（ステップＳ１１０：Ｎｏ）について説明する。この場合、システムコントローラ１５は、撮影者によって動画レリーズスイッチ９ｃが全押しされたか否かを判断する（ステップＳ１１８）。動画レリーズスイッチ９ｃが全押しされてない場合（ステップＳ１１８：Ｎｏ）、撮像装置１はステップＳ１０８に戻り、画像切出し部１５ｈが生成する撮影画像の縦横比率が所定の終了条件を満たすまで繰り返し処理を続ける。具体的には、画像切出し部１５ｈは、画像の縦横比率が第２比率に到達するまで、画像の縦横比率を第１比率から第２比率に向けて時間とともに小さくしながら撮影画像の生成を続ける。一方、動画レリーズスイッチ９ｃが全押しされた場合（ステップＳ１１８：Ｙｅｓ）、撮像装置１はステップＳ１１９に移行する。
【００６９】
続いて、システムコントローラ１５は、画像切出し部１５ｈが生成する撮影画像の縦横比率に関わらず、画像切出し部１５ｈが一定の微小な時間間隔で連続的に生成する撮影画像を時系列に沿ってワークエリア１４ａに一時的に記憶させる動画撮影を開始し（ステップＳ１１９）、撮像装置１はステップＳ１２０に移行する。
【００７０】
その後、画像合成部１５ｉは、画像切出し部１５ｈが生成する撮影画像の縦横比率応じた補助画像を付加して画像全体の縦横比率が第２比率に一致する合成画像の生成を開始する（ステップＳ１２０）。この場合、ワークエリア１４ａには、画像合成が時系列に沿って順次記憶される。
【００７１】
図８は、画像合成部１５ｉが生成する合成画像の生成方法を説明する模式図である。図８に示すように、画像合成部１５ｉは、画像切出し部１５ｈが生成する撮影画像Ｗ２２の縦横比率応じた補助画像Ｗ２１を付加して画像全体の縦横比率が第２比率に一致する合成画像Ｗ２３を生成する。具体的には、合成画像Ｗ２３は、矩形状をなし、補助画像Ｗ２１の縦の長さが撮影画像Ｗ２２の縦の長さが一致する。なお、本実施の形態において、画像合成部１５ｉは、第２比率の撮影画像に対応する台紙上に、画像切出し部１５ｈが時系列に沿って連続的に生成する撮影画像を順次合成することで、画像全体の縦横比率が第２比率に一致する合成画像を生成するようにしてもよい。
【００７２】
ステップＳ１２１において、システムコントローラ１５は、画像切出し部１５ｈが生成する撮影画像の縦横比率が第２比率に到達したか否かを判断する。撮影画像の縦横比率が第２比率に到達した場合（ステップＳ１２１：Ｙｅｓ）、撮像装置１はステップＳ１２２に移行する。一方、撮影画像の縦横比率が第２比率に到達していない場合（ステップＳ１２１：Ｎｏ）、撮像装置１はステップＳ１２４に移行する。
【００７３】
まず、画像切出し部１５ｈが生成する撮影画像の縦横比率が第２比率に到達した場合（ステップＳ１２１：Ｙｅｓ）について説明する。この場合、システムコントローラ１５は、画像合成部１５ｉが順次生成する合成画像の生成を停止させ（ステップＳ１２２）、撮像装置１はステップＳ１２３に移行する。
【００７４】
その後、システムコントローラ１５は、画像切出し部１５ｈが生成する撮影画像の縦横比率を第２比率で固定し（ステップＳ１２３）、撮像装置１はステップＳ１１５に移行する。
【００７５】
つぎに、画像切出し部１５ｈが生成する撮影画像の縦横比率が第２比率に到達していない場合（ステップＳ１２１：Ｎｏ）について説明する。この場合、システムコントローラ１５は、撮影者によって動画撮影を終了する操作が行われたか否かを判断する（ステップＳ１２４）。撮影者によって動画撮影を終了する操作が行われた場合（ステップＳ１２４：Ｙｅｓ）、撮像装置１はステップＳ１１６に移行する。一方、撮影者によって動画撮影を終了する操作が行われてない場合（ステップＳ１２４：Ｎｏ）、撮像装置１はステップＳ１２０に戻る。
【００７６】
ここで、ステップＳ１０２において、撮像装置１が静止画撮影モードに設定されていない場合（ステップＳ１０２：Ｎｏ）について説明する。この場合、システムコントローラ１５は、再生表示処理（ステップＳ１２５）を実行し、撮像装置１はステップＳ１０１に戻る。
【００７７】
図９は、図５に示す再生表示処理の概要を示すフローチャートである。図９に示すように、システムコントローラ１５は、メモリカード１２ａに記憶された複数の画像や動画を表示する画像選択画面を表示部１０に表示させる（ステップＳ２０１）。
【００７８】
続いて、システムコントローラ１５は、撮影者によって表示部１０が表示する画像選択画面の中から動画が選択されたか否かを判断する（ステップＳ２０２）。動画が選択された場合（ステップＳ２０２：Ｙｅｓ）、撮像装置１はステップＳ２０３に移行する。一方、動画が選択されていない場合（ステップＳ２０２：Ｎｏ）、撮像装置１はステップＳ２０８に移行する。
【００７９】
まず、撮影者によって表示部１０が表示する画像選択画面の中から動画が選択された場合（ステップＳ２０２：Ｙｅｓ）について説明する。この場合、システムコントローラ１５は、メモリカード１２ａに記憶された動画データを圧縮・伸長部１５ｂで伸長して表示部１０の画面上に表示させて動画再生を開始し（ステップＳ２０３）、撮像装置１はステップＳ２０４に移行する。
【００８０】
続いて、システムコントローラ１５は、表示部１０に表示させる一連の動画データであって時系列に沿って連続的に表示予定の画像に補助画像が付加されているか否かを判断する（ステップＳ２０４）。補助画像が付加されている場合（ステップＳ２０４：Ｙｅｓ）、システムコントローラ１５は、表示部１０が表示する画像に補助画像を付加した合成画像を表示させる（ステップＳ２０５）。
【００８１】
図１０は、表示部１０が表示する画像の一例を示す図である。図１０において、表示部１０が表示する複数の画像のうち、代表的な３枚の画像Ｗ３１〜Ｗ３３（図１０（ａ）〜（ｃ））を示す。なお、画像Ｗ３１〜Ｗ３２の間およびＷ３２〜Ｗ３３の間には、複数の画像がそれぞれ存在する。図１０に示すように、表示部１０は、表示する画像に補助画像を付加した合成画像、たとえば画像Ｗ３１や画像Ｗ３２を表示する。この場合、システムコントローラ１５は、合成画像に含まれる補助画像を表示部１０の画面上の端部によせて表示部１０に表示させる。これにより、再生する動画に補助画像が付加されているので、単調に動画を再生するときに比べ、鑑賞者は楽しく鑑賞することができる。なお、表示する補助画像の内容や種類は、たとえば撮影者が操作スイッチ９ｅ等で入力することによって作成し、メモリカード１２ａに記憶させてもよい。
【００８２】
これに対して、表示部１０に表示させる一連の動画データであって時系列に沿って連続的に表示予定の画像に補助画像が付加されていない場合（ステップＳ２０４：Ｎｏ）、撮像装置１はステップＳ２０６に移行する。
【００８３】
ステップＳ２０６において、システムコントローラ１５は、表示部１０が表示する一連の動画データが終了したか否かを判断する（ステップＳ２０６）。動画データが終了していない場合（ステップＳ２０６：Ｎｏ）、撮像装置１はステップＳ２０４に戻り、動画再生を続ける。一方、動画データが終了した場合（ステップＳ２０６：Ｙｅｓ）、撮像装置１はメインルーチンに戻る。
【００８４】
つぎに、撮影者によって表示部１０が表示する画像選択画面の中から動画が選択されてない場合（ステップＳ２０２：Ｎｏ）について説明する。この場合、システムコントローラ１５は、メモリカード１２ａに記憶された静止画データを圧縮・伸長部１５ｂで伸長して表示部１０の画面上に表示させ（ステップＳ２０７）、撮像装置１はステップＳ２０８に移行する。
【００８５】
続いて、システムコントローラ１５は、撮影者によって操作スイッチ９ｅが操作され、表示部１０が現在表示している静止画を変更させる指示信号が入力されたか否かを判断する（ステップＳ２０８）。静止画を変更させる指示信号が入力された場合（ステップＳ２０８）、システムコントローラ１５は、表示部１０が表示する静止画の変更を行い（ステップＳ２０９）、撮像装置１はステップＳ２０７に戻る。一方、静止画を変更させる指示信号が入力されていない場合（ステップＳ２０８：Ｎｏ）、撮像装置１はメインルーチンに戻る。
【００８６】
以上説明した本実施の形態では、システムコントローラ１５が、静止画撮影中に動画レリーズスイッチ９ｃによって撮影する画像の縦横比率を変更する変更指示信号が入力された場合、画像切出し部１５ｈが順次切出して生成する撮影画像の縦横比率を第１比率から第２比率に向けて時間とともに小さくする制御を行う。この結果、静止画撮影の撮影中にアスペクト比が異なる動画撮影を行う場合に、撮影者が意図しない構図から動画撮影が開始されることを防止することができる。さらに、撮影者は、システムコントローラ１５が画像切出し部１５ｈによって生成される撮影画像の縦横比率を徐々に変更しているので、被写体が撮影領域からはみ出す前に撮像装置１の構図を操作し、被写体が撮像領域からはみ出すことを防止することができる。また、システムコントローラ１５は、画像切出し部１５ｈが生成する撮影画像の縦横比率の変更中に撮影者によって動画レリーズスイッチ９ｃが全押動作した場合、画像切出し部１５ｈが順次切出して生成する撮影画像をワークエリア１４ａに一時的に記憶させる動画撮影を開始するので、動画撮影を瞬時に開始することができる。
【００８７】
また、本実施の形態では、静止画撮影時の画像の縦横比率である第１比率が３／４（アスペクト比３：４に対応）であったが、たとえば第１比率を２／３（アスペクト比２：３に対応）としてもよい。より一般的には、第１比率が第２比率より大きければよい。
【００８８】
また、本実施の形態では、システムコントローラ１５は、画像切出し部１５ｈが生成する撮影画像の縦横比率を時系列に沿って第１比率から第２比率に向けて時間とともに小さくする制御を行っていたが、たとえば撮影画像の縦横比率を時間とともに段階的に変更させてもよい。
【００８９】
また、本実施の形態では、動画レリーズスッチ９ｃが半押しされた場合に画像の縦横比率の変更を指示する変更指示信号の入力を受け付ける一方、全押しされた場合に動画撮影の撮影指示信号の入力を受け付けていたが、たとえば、画像の縦横比率の変更を指示する変更指示信号の入力を受け付ける変更用スイッチと、動画撮影の撮影指示信号の入力を受け付ける動画撮影用スイッチとを別に設けてもよい。
【００９０】
また、本実施の形態では、システムコントローラ１５は、動画レリーズスイッチ９ｃが半押動作した場合において、画像切出し部１５ｈが生成する撮影画像の縦横比率を第２比率から第１比率に向けて時間とともに小さくした後、再度、動画レリーズスイッチ９ｃが半押動作したときに、動画撮影の準備を解除して静止画撮影に戻していたが、たとえば撮影者によって動画レリーズスイッチ９ｃが半押動作し続けた場合に、画像切出し部１５ｈが生成する撮影画像の縦横比率を第１比率から第２比率に向けて時間とともに小さくし、動画レリーズスイッチ９ｃが半押動作を解除したときに、動画撮影の準備を解除して静止画撮影に戻るようにしてもよい。
【００９１】
また、本実施の形態では、設定部１５ｊが撮影者による操作スイッチ９ｅの操作内容に応じて、画像切出し部１５ｈが生成する撮影画像の縦横比率の変更タイミングを設定していたが、たとえば、被写体の焦点距離、顔検出部１５ｆの検出結果や撮影状況等に応じて画像切出し部１５ｈが生成する撮影画像の縦横比率の変更タイミングを自動的に設定してもよい。
【００９２】
また、本実施の形態では、撮像装置１をデジタル一眼レフカメラとして説明しているが、例えばデジタルビデオカメラやカメラ付き携帯電話など、静止画撮影と動画撮影とを行うことができる各種電子機器に適用することができる。
【符号の説明】
【００９３】
１            撮像装置
２            レンズ部
３            レンズ駆動機構
４            絞り駆動機構
４ａ          絞り
５            シャッタ駆動機構
５ａ          シャッタ
６            撮像素子
７            信号処理部
８            音声入出力部
９            操作入力部
９ａ          電源スイッチ
９ｂ          静止画レリーズスイッチ
９ｃ          動画レリーズスイッチ
９ｄ          モード切換スイッチ
９ｅ          操作スイッチ
９ｆ          ズームスイッチ
１０          表示部
１１          タッチパネル
１２          記録媒体インタフェース
１２ａ        メモリカード
１３          不揮発性メモリ
１４          揮発性メモリ
１５          システムコントローラ
１５ａ        画像処理部
１５ｂ        圧縮・伸長部
１５ｃ        ＡＦ制御部
１５ｄ        ＡＥ制御部
１５ｅ        タイマカウンタ
１５ｆ        顔検出部
１５ｇ        画素数変換部
１５ｈ        画像切出し部
１５ｉ        画像合成部
１５ｊ        設定部
Ｑ            光軸
【図１】
0005608432.tif 000002
【図２】
0005608432.tif 000003
【図３】
0005608432.tif 000004
【図４】
0005608432.tif 000005
【図５】
0005608432.tif 000006
【図６】
0005608432.tif 000007
【図７】
0005608432.tif 000008
【図８】
0005608432.tif 000009
【図９】
0005608432.tif 000010
【図１０】
0005608432.tif 000011
【図１１】
0005608432.tif 000012